(57)【要約】【課題】試料に関するデータの閲覧を円滑に行うことが可能な分析データ表示装置を提供する。【解決手段】この分析データ表示装置１００では、試料Ｐを分離した分離結果６を複数の区分８に分けて表示する第１表示機能１ａと、表示した分離結果６の区分８に対応して測定された測定部３０の測定方法履歴９を表示する第２表示機能１ｂと、表示された測定方法履歴９から選択された一の測定部３０による測定結果７を表示する第３表示機能１ｃと、を含む、表示部１を備え、表示部１は、分離結果６と測定結果７とを同時に表示する。【選択図】図１
2020101372.tif 000002
【特許請求の範囲】
【請求項１】
試料を複数の区分に分離した分離結果を区分毎に分けて表示する第１表示機能と、
表示した前記分離結果の区分に対応して測定された測定部の測定方法履歴を選択可能に表示する第２表示機能と、
表示された前記測定方法履歴から選択された一の前記測定部による測定結果を表示する第３表示機能と、を含む、表示部を備え、
前記表示部は、前記分離結果と前記測定結果とを同時に表示することを特徴とする、分析データ表示装置。
【請求項２】
前記区分毎に前記区分と対応する前記測定結果とを関連付ける関連付け部をさらに備え、
関連付けられた前記区分と前記測定結果とに基づいて、前記区分に対応した前記測定結果を前記表示部に表示させるように構成されている、請求項１に記載の分析データ表示装置。
【請求項３】
前記関連付け部は、前記区分毎の識別情報と前記測定結果とを関連付けて記憶することにより、前記区分毎に前記区分と対応する前記測定結果とを関連付けるように構成されている、請求項２に記載の分析データ表示装置。
【請求項４】
前記識別情報は、分離された試料が収容された容器に付されており、
前記関連付け部は、前記容器に付された前記識別情報と前記測定結果とを関連付けて記憶することにより、前記区分毎に前記区分と対応する前記測定結果とを関連付けるように構成されている、請求項３に記載の分析データ表示装置。
【請求項５】
前記表示部は、前記分離結果をグラフ形式で複数の前記区分に分けて表示し、表示されたグラフ形式の前記分離結果のうちの選択された前記区分に対応する前記測定結果を表示するように構成されている、請求項１〜４のいずれか１項に記載の分析データ表示装置。
【請求項６】
ユーザの操作を受け付ける操作部をさらに備え、
前記表示部は、前記操作部により、表示された前記区分毎の前記分離結果のうちの１つの前記区分に対応する複数の前記測定部が選択された場合に、選択された前記区分に対応する前記測定結果を切り替えて表示するように構成されている、請求項１〜５のいずれか１項に記載の分析データ表示装置。
【請求項７】
前記測定結果が前記表示部に表示されている場合において、
前記表示部には、複数の前記測定部が選択可能に表示され、
前記操作部により、前記測定部が選択されたことに基づいて、前記測定結果が切り替わるように構成されている、請求項６に記載の分析データ表示装置。
【発明の詳細な説明】
【技術分野】
【０００１】
本発明は、分析データ表示装置に関する。
【背景技術】
【０００２】
従来、粒子径分布を取得する測定装置が知られている（たとえば、特許文献１参照）。
【０００３】
上記特許文献１には、測定装置として、粉末の試料の各粒子径の範囲における粒子量を表す測定結果を取得する取得部を備えた測定装置が開示されている。この測定装置の取得部は、レーザ回折により測定結果を取得するように構成されており、試料で回折および散乱した光を受光する複数の受光素子と、受光素子における受光強度を表す光強度分布データを取得する光強度分布測定部とを備えている。そして、取得部は、光強度分布測定部により取得された光強度分布データに基づいて、測定結果を取得している。
【０００４】
また、粉末の試料の粒子径分布を測定する方法として、上記特許文献１に記載のレーザ回折法以外に走査型電子顕微鏡（ＳＥＭ）、透過型電子顕微鏡（ＴＥＭ）またはＤＬＳ（動的光散乱法）、ＡＦＭ（原子間力顕微鏡）等を用いて測定する方法が知られている。
【０００５】
従来、含まれる物質の粒子径の幅が大きい試料の測定結果を取得する場合に、そのまま試料を用いると測定誤差が大きくなることが知られている。これは大きい粒子径を有する粒子と小さい粒子径を有する粒子とが重なることにより、小さい粒子径を有する粒子が隠れてしまい測定結果を正確に得ることができないためである。そのため、従来では、測定誤差を小さくするために、上記した装置または方法を用いる前段階として試料の分離を行い、粒子径の大きさがある範囲内に限定されるいくつかの区分に分離していた。
【０００６】
測定結果を元に試料を分析する場合に、測定装置で得られた測定結果と分離した区分毎の吸光度等を測定したデータである分離結果とを各々照合して分析する必要があるが、分離結果における区分と当該区分で取得された分析結果が紐付けられておらず、ユーザが分離結果の各区分と測定結果を閲覧しながら手動で区分と測定結果とを照合しながら分析するしかなかった。特に、測定装置が複数ある場合には、測定結果も多くなるためユーザにとって試料に関するデータの閲覧が煩雑になる。
【先行技術文献】
【特許文献】
【０００７】
【特許文献１】特開２０１６−２１１９４５号公報
【発明の概要】
【発明が解決しようとする課題】
【０００８】
この発明は、試料が複数の区分に分離された分離結果と、分離した各区分において測定された結果が紐付けられておらず、データの閲覧・解析が煩雑であるという課題を解決するためになされたものであり、この発明の１つの目的は、試料に関するデータの閲覧を円滑に行うことが可能な分析データ表示装置を提供することである。
【課題を解決するための手段】
【０００９】
上記目的を達成するために、この発明の一の局面における分析データ表示装置は、試料を複数の区分に分離した分離結果を区分毎に分けて表示する第１表示機能と、表示した分離結果の区分に対応して測定された測定部の測定方法履歴を選択可能に表示する第２表示機能と、表示された測定方法履歴から選択された一の測定部による測定結果を表示する第３表示機能と、を含み、表示部は、分離結果と測定結果とを同時に表示することを特徴とする。
【００１０】
この発明の一の局面による分析データ表示装置では、上記のように、試料を分離した分離結果が複数の区分毎に分けて表示部に表示され、表示されている分離結果から区分を選択することにより測定方法履歴が選択可能に表示部に表示される。さらに、表示部に表示された区分毎の測定方法履歴から測定部を選択することによって測定結果が表示され、表示部は、分離結果と測定結果とを同時に表示する。このように構成することによって、選択された区分および測定部に対応した測定結果と選択された区分の分離結果とが表示部に表示される。その結果、ユーザは、選択された区分および測定部に対応する測定結果と選択された区分の分離結果とを迅速に照合する事ができるため、ユーザにとって試料に関するデータの閲覧を円滑に行うことが可能となる。
【００１１】
上記一の局面による分析データ表示装置において、好ましくは、区分毎に区分と対応する測定結果とを関連付ける関連付け部をさらに備え、関連付けられた区分と測定結果とに基づいて、区分に対応した測定結果を表示部に表示させるように構成されている。このように構成すれば、区分と測定結果が関連付けられるため、ユーザは、分離結果から区分を選択するだけで、測定結果と対応する区分とを容易に対応付けて閲覧することができる。
【００１２】
この場合、好ましくは、区分毎の識別情報と測定結果とを関連付けて記憶することにより、区分毎に区分と対応する測定結果とを関連付けるように構成されている。このように構成すれば、区分毎の識別情報を測定結果と関連付けて記憶することにより、識別情報に基づいて測定結果と対応する区分とを容易に関連付けることができる。
【００１３】
上記区分毎の識別情報と測定結果とを関連付けて記憶する分析データ表示装置において、好ましくは、識別情報は、分離された試料が収容された容器に付されており、関連付け部は、容器に付された識別情報と測定結果とを関連付けて記憶することにより、区分毎に区分と対応する測定結果とを関連付けるように構成されている。このように構成すれば、予め容器に付された識別情報に基づいて測定結果と対応する区分とを容易に関連付けることができる。そのため、容器に付された識別情報を読み込むことにより、測定結果と対応する区分とを容易に関連付けることができる。
【００１４】
上記一の局面による分析データ表示装置において、好ましくは、表示部は、分離結果を複数の区分毎にグラフ形式で表示し、表示されたグラフ形式の分離結果のうちの選択された区分に対応する測定結果を表示するように構成されている。このように構成すれば、ユーザは、グラフ形式で表示された分離結果から所望の区分を容易に選択することができる。
【００１５】
上記一の局面による分析データ表示装置において、好ましくは、ユーザの操作を受け付ける操作部をさらに備え、表示部は、操作部により、表示された区分毎の分離結果のうちの１つの区分に対応する複数の測定部が選択された場合に、選択された区分に対応する測定結果を切り替えて表示するように構成されている。このように構成すれば、ユーザは、操作部によって閲覧したい区分に対応する複数の測定部を選択することができるため、一の測定結果を閲覧している場合に、他の測定結果を閲覧するために再度測定方法履歴を表示し、測定部を選択する必要がない。そのため、ユーザは、任意の区分の複数の測定結果を容易に選択し、閲覧することができる。
【００１６】
この場合、好ましくは、測定結果が表示部に表示されている場合において、表示部には、複数の測定部が選択可能に表示され、操作部により、測定部が選択されたことに基づいて、測定結果が切り替わるように構成されている。このように構成すれば、一の測定結果の画面から他の測定結果の画面に切り替えることができる。そのため、ユーザは、任意の区分の複数の測定結果を対応付けて閲覧することができる。
【発明の効果】
【００１７】
本発明によれば、上記のように、試料に関するデータの閲覧を円滑に行うことができる。
【図面の簡単な説明】
【００１８】
【図１】本発明の一実施形態による分析データ表示装置の全体構成を示す模式図である。
【図２】分離部によって分離された区分を表す模式図である。
【図３】第１表示機能によって表示部に分離結果が表示されている例を示す図である。
【図４】第２表示機能によって表示部に測定方法履歴が表示されている例を示す図である。
【図５】第３表示機能によって表示部に測定結果が表示されている例を示す図である。
【図６】第３表示機能によって表示部に測定結果が表示されている例を示す図である。
【図７】分離結果と測定結果とを同一画面に並べて表示した例を示す図である。
【発明を実施するための形態】
【００１９】
以下、本発明を具体化した実施形態を図面に基づいて説明する。
【００２０】
図１〜図７を参照して、本実施形態による分析データ表示装置１００の構成について説明する。
【００２１】
図１に示すように、本実施形態による分析データ表示装置１００は、表示部１と制御部２と操作部３と関連付け部４と記憶部５とを備えている。
【００２２】
分析データ表示装置１００を用いる例としては、食品、医薬品、化粧品等の分野で様々な粒子径の物質が混合している試料Ｐを分析する場合に用いる。食品の場合には粒子径が大きいと舌触りが悪いため、一定の粒子径以下になるように調整される。このときに、試料Ｐの粒子径毎の割合を調べるために、測定部３０により粒子径分布データを取得する。なお、粒子径分布データは、特許請求の範囲の「測定結果」の一例である。
【００２３】
ここで、様々な粒子径の物質が混合している試料Ｐを分析する場合に、分析データ精度を高めるために、予めいくつかの区分８に分ける分離が行われる。その際、分離部２０が用いられる。
【００２４】
具体的には、分離部２０は、遠心力を利用し、試料Ｐを複数の区分８に分けるＣＦ３（Ｃｅｎｔｒｉｆｕｇａｌ  ＦＦＦ（Ｆｉｅｌｄ  Ｆｌｏｗ  Ｆｒａｃｔｉｏｎａｔｉｏｎ））である。分離部２０は、制御部２１と送液ポンプ２２と試料注入部２３と分離セル２４（ロータ）と検出部２５とを含む。
【００２５】
試料Ｐの分離を開始する場合、ユーザは、分離部２０の制御部２１に分離セル２４の回転速度、分離された試料Ｐを容器２６に採取する時間間隔を入力する。送液ポンプ２２はキャリア（溶媒）を流路上に流し、分離セル２４へ送る。試料注入部２３は、流路上を流れているキャリアに粉状の試料Ｐを注入する。キャリアは、試料注入部２３から注入された粉状の試料Ｐを含んで分離セル２４へと移動する。
【００２６】
次に、分離部２０の制御部２１は、分離セル２４を回転するように制御する。分離セル２４が、回転することにより試料Ｐに遠心力が生じる。ここで、試料Ｐのうち粒子径の小さい粒子は、遠心力が小さく、拡散速度が速くなる。そうすると、流速が速い流路の中心の近くに分布することになる。その結果、試料Ｐのうち小さい粒子から早く流出するため、試料Ｐは、時間経過に伴い粒子径の小さい粒子から徐々に大きい粒子が分離セル２４から分離される。分離された試料Ｐは、一定の時間間隔で容器２６に注入される。この結果、図２に示すように、試料Ｐは、容器２６毎に小さい粒子径の区分１と大きい粒子径の区分４と中間の粒子径の区分２および区分３とに分かれる。
【００２７】
分離部２０は、さらに分離を行いつつ試料Ｐの分離結果６を取得する。分離結果６は、試料Ｐの吸光度である。吸光度を測定するための検出部２５は、流路上に設けられる。検出部２５は、紫外線を照射する照射部と流路を通過した紫外線を検出する検出器とを含む。検出器は、試料Ｐの紫外線の吸光度を測定し、試料Ｐの流出時間毎の吸光度（分離結果６）を取得する。この際、分離部２０の制御部２１は、区分８と分離結果６のうち区分８が取得された時間帯に対応する部分とを関連付けて記憶部２８に記憶するように制御する。
【００２８】
図３に示すように、分離結果６は、フラクトグラムで表示される。図３のフラクトグラムは、分離した試料Ｐの吸光度を表している。本実施形態では、試料Ｐの区分８を１０分おきに取得し、１０分から２０分までの時間帯を「区分１」、２０分から３０分までの時間帯を「区分２」、３０分から４０分までの時間帯を「区分３」、４０分から５０分までの時間帯を「区分４」とする。
【００２９】
測定部３０は、ＳＥＭ３０ａ、ＡＦＭ３０ｂおよびＤＬＳ３０ｃを用いる。ＳＥＭ３０ａは、電子顕微鏡の一種であり、観察対象に電子線をあて、対象物から放出される二次電子等を検出することで観察する。ＳＥＭ３０ａでは、検出した二次電子等から試料Ｐの拡大像を作り撮影したＳＥＭ写真７３から粒子毎の短径や長径を取得することにより粒子径および粒子径分布を測定結果７として取得する。ＡＦＭ３０ｂは、カンチレバー(片持ち梁)の先端に取り付けた鋭い探針を用いて、試料表面をなぞる。または、試料表面と一定の間隔を保って試料表面を走査する。カンチレバーの上下方向への変位を計測することにより、試料表面の凹凸形状の評価を行う。そして凹凸形状から粒子毎の粒子径を求めることにより、粒子径および粒子径分布を測定結果７として取得する。ＤＬＳ３０ｃは、溶液中に分散するブラウン運動をしている粒子に、光源部からレーザ光を照射し、粒子からの散乱光を光電子増倍管によって検出する。その結果、大きな粒子ほど遅く、小さい粒子ほど速いブラウン運動をしているため、粒子からの散乱光はブラウン運動の速さに応じたゆらぎ信号として検出される。検出されたゆらぎ信号から粒子径と粒子径分布を測定結果７として取得する。
【００３０】
ここで本実施形態では、表示部１は、制御部２からの指示に基づいて、分離部２０および測定部３０から得られたデータを表示する機能を有する。具体的には表示部１は、試料Ｐを分離した分離結果６を複数の区分８に分けて表示する第１表示機能１ａと、表示した分離結果６の区分８に対応して測定された測定部３０の測定方法履歴９を表示する第２表示機能１ｂと、表示された測定方法履歴９から選択された一の測定部３０による測定結果７を表示する第３表示機能１ｃを有する。
【００３１】
表示部１は、分析データ表示装置１００と一体に構成されていてもよく、分析データ表示装置１００に接続されたモニターで構成されていてもよい。
【００３２】
図３に示すように、第１表示機能１ａによって表示部１に表示される画面は、試料Ｐを分離した分離結果６の画面である。このとき表示部１は、分離結果６を複数の区分８に分けてグラフ形式で表示する。分離結果６は、図３で示すように、フラクトグラムで表示される。図３で示されるフラクトグラムは、横軸が波長２３０ｎｍ、スリット幅４ｎｍで紫外線を照射したときの検出器出力、縦軸が分離開始からの時間（分）を表すフラクトグラムである。また、分離セル２４の回転数も合わせてグラフ化している。フラクトグラムは、図３に示すように区分８毎に色分け（図面上ハッチングの際により図示）が行われる。これにより区分８毎に分けて表示される。
【００３３】
図４に示すように、第２表示機能１ｂによって表示部１に表示される画面は、分離結果６の区分８に対応して測定された測定部３０の履歴である測定方法履歴９の画面である。測定方法履歴９の画面は、測定結果７を取得するために用いた測定部３０の一覧として「ＳＥＭ」、「ＡＦＭ」および「ＤＬＳ」が縦に表示される。第２表示機能１ｂによって表示される画面は、第１表示機能１ａによって表示される画面の区分８を、選択することにより表示される。
【００３４】
第３表示機能１ｃによって表示される画面は、第２表示機能１ｂによって表示される測定方法履歴９内の測定部３０を、選択することにより表示される。このとき測定方法履歴９の画面から測定部３０をひとつ選択してもよく、複数選択してもよい。
【００３５】
図５および図６に示すように、第３表示機能１ｃによって表示される画面は、測定部３０による測定結果７の画面である。測定結果７の画面には、測定方法履歴９の画面から選択された測定部３０の名称を記載したタブ７２が表示される。図５のように選択した測定部３０の名称を記載したタブ７２だけが表示されてもよく、図６のように測定部３０の名称を記載したタブ７２がすべて表示されてもよい。測定部３０としてＳＥＭを選択した場合、測定結果７としては、ＳＥＭを用いて撮影した選択された区分８の試料ＰのＳＥＭ写真７３、粒子径情報７４、または頻度分布７５などが表示される。粒子径情報７４としては、ＳＥＭ写真７３を基に区分８に含まれる粒子毎の短径および長径と、面積と、円形度とが表示される。頻度分布７５としては、粒子毎の短径に基づく粒子径頻度分布と粒子径累積分布とがグラフ形式で表示される。
【００３６】
測定方法履歴９の画面から測定部３０を複数選択した場合は、測定結果７が互いに切り替え可能に表示される。このとき測定方法履歴９の画面の一番上に表示されている測定部３０の測定結果７から順番に表示されてもよく、順不同に表示されてもよい。このとき、測定結果７の画面には、測定部３０が選択可能に表示される。図６に示すように測定結果７の画面には、測定部３０の名称が付されたタブ７２が複数表示される。ユーザは、タブ７２を選択することにより測定結果７が切り替わる。
【００３７】
測定結果７の画面には、対応する区分８の情報が表示される。対応する区分８の情報は、画面の左に区分１を意味する「ｍａｔｅｒｉａｌ０１」と表示されてもよい。または、測定結果７の画面に詳細タブ（図示せず）を表示し、詳細タブをユーザが選択することにより区分８の詳細な情報が表示されてもよい。
【００３８】
操作部３は、マウスである。操作部３を操作することにより分離結果６の区分８を選択する。
【００３９】
表示部１に表示される区分８、測定方法履歴９またはタブ７２などを選択手段１ｄによって選択してもよい。選択手段１ｄは、図３に示すようにカーソルである。選択手段１ｄは、制御部２によって操作部３が、ユーザによって操作されることに伴い、操作されるように制御される。
【００４０】
関連付け部４は、分離部２０で取得した区分８と測定部３０で取得した測定結果７とを関連付ける。関連付けられた区分８と測定結果７とに基づいて、区分８に対応した測定結果７を表示部１に表示させる。
【００４１】
関連付け部４は、区分８毎の識別情報２７と測定結果７とを関連付けて記憶部５に記憶することにより、区分８毎に区分８と対応する測定結果７とを関連付ける。識別情報２７は、分離された試料Ｐが収容された容器２６に付されている。容器２６は、バイアルなどの小瓶である。識別情報２７は、文字や数字の組み合わせであり、バーコードとして容器２６に付される。
【００４２】
関連付け部４は、容器２６に付された識別情報２７と測定結果７とを関連付けて記憶部５に記憶することにより、区分８毎に区分８と対応する測定結果７とを関連付ける。
【００４３】
図７に示すように、第１表示機能１ａと第３表示機能１ｃが同時に機能することで、分離結果６と測定結果７とが同時に、同一画面に並べて表示される。分離結果６と測定結果７とを並べて表示する表示の態様は、特に限定されない。
【００４４】
次に、本実施形態に係る分析データ表示装置１００を用いた試料Ｐの測定結果７に関する表示について説明する。
【００４５】
まず、ユーザは、分析データ表示装置１００を用いる前段階として、試料Ｐを分離部２０で分離する。試料Ｐに含まれる物質の粒子径の幅が大きい場合または不明の場合は、区分８の数を多くする。そして試料Ｐの分離結果６を取得する。分離部２０の制御部２１は、区分８が取得された時間帯に応じて分離結果６と区分８（および区分８に対応する識別情報２７）とを関連付けて記憶部２８に記憶するように制御する。取得した分離結果６は、分離部２０から分析データ表示装置１００に読み込まれる。
【００４６】
分離した試料Ｐを容器２６毎に測定部３０で測定し、測定結果７として試料Ｐの粒子径および粒子径分布を取得する。ユーザは、取得した測定結果７を、測定部３０から分析データ表示装置１００に読み込ませてもよく、操作部３を用いて入力してもよい。なお、測定部３０において、容器２６に付された識別情報２７を読み取ることにより区分８と測定結果７とが関連付けられる。そして、分析データ表示装置１００では区分８および測定結果７が測定部３０に対応して記憶される。
【００４７】
分析データ表示装置１００の関連付け部４は、区分８毎および測定部３０毎に記憶された測定結果７と分離結果６とを関連付ける。
【００４８】
そして、図３に示すように、分析データ表示装置１００では、ユーザの操作などに基づいて表示部１に第１表示機能１ａによる分離結果６が表示される。この第１表示機能１ａでは分離結果６が複数の区分８に色分けされて表示される。そして、ユーザは、分析データ表示装置１００の第１表示機能１ａによって表示部１に表示された分離結果６から測定結果７を閲覧したい区分８を選択する。そうすると、図４に示すように、第２表示機能１ｂによって測定方法履歴９が表示部１に表示される。
【００４９】
ユーザは、表示部１に表示された測定方法履歴９から閲覧したい測定結果７の測定部３０を選択する。そうすると、図５または図６に示すように、第３表示機能１ｃによって、選択された区分８および測定部３０に対応する測定結果７が、表示部１に表示される。
【００５０】
ユーザが、表示部１に表示された測定方法履歴９から閲覧したい測定結果７の測定部３０を複数選択した場合、図６に示すように、測定部３０の名称が付されたタブ７２が複数表示される。このタブ７２を操作部３で操作することにより、ユーザは複数の測定結果７を切り替えて閲覧できる。
【００５１】
（本実施形態の効果）
本実施形態では、以下のような効果を得ることができる。
【００５２】
本実施形態の分析データ表示装置１００では、試料Ｐを分離した分離結果６が複数の区分８毎に分けて表示部１に表示され、表示されている分離結果６から区分８を選択することにより測定方法履歴９が選択可能に表示部１に表示される。さらに、表示部１に表示された区分８毎の測定方法履歴９から測定部３０を選択することによって測定結果７が表示され、表示部１は、分離結果６と測定結果７とを同時に表示する。このように構成することによって、選択された区分８および測定部３０に対応した測定結果７と選択された区分８の分離結果６とが表示部１に表示される。その結果、ユーザは、選択された区分８および測定部３０に対応する測定結果７と選択された区分８の分離結果６とを迅速に照合する事ができるため、ユーザにとって試料Ｐに関するデータの閲覧を円滑に行うことが可能となる。
【００５３】
また、本実施形態の分析データ表示装置１００では、区分８毎に区分８と対応する測定結果７とを関連付ける関連付け部４をさらに備え、関連付けられた区分８と測定結果７とに基づいて、区分８に対応した測定結果７を表示部１に表示させるように構成されている。これにより、区分８と測定結果７が関連付けられるため、ユーザは、分離結果６から区分８を選択するだけで、測定結果７と対応する区分８とを容易に対応付けて閲覧することができる。
【００５４】
また、本実施形態の分析データ表示装置１００では、区分８毎の識別情報２７と測定結果７とを関連付けて記憶することにより、区分８毎に区分８と対応する測定結果７とを関連付けるように構成されている。これにより、区分８毎の識別情報２７を測定結果７と関連付けて記憶することにより、識別情報２７に基づいて測定結果７と対応する区分８とを容易に関連付けることができる。
【００５５】
また、本実施形態の分析データ表示装置１００では、識別情報２７は、分離された試料Ｐが収容された容器２６に付されており、関連付け部４は、容器２６に付された識別情報２７と測定結果７とを関連付けて記憶することにより、区分８毎に区分８と対応する測定結果７とを関連付けるように構成されている。これにより、予め容器２６に付された識別情報２７に基づいて測定結果７と対応する区分８とを容易に関連付けることができる。そのため、容器２６に付された識別情報２７を読み込むことにより、測定結果７と対応する区分８とを容易に関連付けることができる。
【００５６】
また、本実施形態の分析データ表示装置１００では、表示部１は、分離結果６を複数の区分８毎にグラフ形式で表示し、表示されたグラフ形式の分離結果６のうちの選択された区分８に対応する測定結果７を表示するように構成されている。これにより、ユーザは、グラフ形式で表示された分離結果６から所望の区分８を容易に選択することができる。
【００５７】
また、本実施形態の分析データ表示装置１００では、ユーザの操作を受け付ける操作部３をさらに備え、表示部１は、操作部３により、表示された区分毎の分離結果６のうちの１つの区分８に対応する複数の測定部３０が選択された場合に、選択された区分８に対応する測定結果７を切り替えて表示するように構成されている。これにより、ユーザは、操作部３によって閲覧したい区分８に対応する複数の測定部３０を選択することができるため、一の測定結果７を閲覧している場合に、他の測定結果７を閲覧するために再度測定方法履歴９を表示し、測定部３０を選択する必要がない。そのため、ユーザは、任意の区分８の複数の測定結果７を容易に選択し、閲覧することができる。
【００５８】
また、本実施形態の分析データ表示装置１００では、測定結果７が表示部１に表示されている場合において、表示部１には、複数の測定部３０が選択可能に表示され、操作部３により、測定部３０が選択されたことに基づいて、測定結果７が切り替わるように構成されている。これにより、一の測定結果７の画面から他の測定結果７の画面に切り替えることができる。そのため、ユーザは、任意の区分８の複数の測定結果７を対応付けて閲覧することができる。
【００５９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記実施形態では、分離部がＣＦ３装置である場合の例を示したが、これに限定されない。たとえば、遠心力を利用しないＡＦ４（Ａｓｙｍｍｅｔｒｉｃ−Ｆｌｏｗ  ＦＦＦ（Ｆｉｅｌｄ  Ｆｌｏｗ  Ｆｒａｃｔｉｏｎａｔｉｏｎ））装置を用いてもよい。
【００６１】
また、上記実施形態では、分離部がＣＦ３装置である場合の例を示したが、これに限定されない。たとえば、他の流動場分画装置、液体クロマトグラフなどのクロマト装置、または電気泳動装置を用いてもよい。また、分離部は、分析データ表示装置と別に設けてもよい。
【００６２】
また、上記実施形態では、フラクトグラムを用いて分離結果を示す例について説明したが、本発明はこれに限られない。たとえば、全分画における各区分の割合を示したグラフを用いて分離結果を示してもよい。
【００６３】
また、上記実施形態では、測定部を３つ設ける例を示したが、これに限定されない。たとえば、測定部を１つ、２つ、または４つ以上設けてもよい。
【００６４】
また、上記実施形態では、測定部が、ＳＥＭ、ＡＦＭ、ＤＬＳを用いる例を示したが、これに限定されない。たとえば、レーザ解析法、ＩＣＰＭＳ、赤外顕微鏡（ＦＴ−ＩＲ）、イメージング質量顕微鏡、二次イオン質量分析法（ＳＩＭＳ）、エネルギー分散型Ｘ線分析（ＥＤＸ）またはラマン分光法等を用いてもよい。また、ＤＬＳやレーザ解析法を用いる場合、測定部が分析データ表示装置内に組み込まれていてもよい。
【００６５】
また、上記実施形態では、第２表示機能によって測定部の一覧として「ＳＥＭ」、「ＡＦＭ」および「ＤＬＳ」が縦に表示される例を示したが、これに限定されない。たとえば、第２表示機能によって測定部の一覧として「ＳＥＭ」、「ＡＦＭ」および「ＤＬＳ」を横に表示してもよい。
【００６６】
また、上記実施形態では、操作部がマウスである例を示したが、これに限定されない。たとえば、操作部をタッチパネルにしてもよい。
【００６７】
また、上記実施形態では、第３表示機能によって表示される画面がＳＥＭ写真、粒子径情報、または頻度分布である例を示したが、これに限定されない。たとえば、ＤＬＳで測定した測定結果の場合は、粒子径分布を示すグラフだけを第３表示機能によって画面に表示してもよい。
【００６８】
また、上記実施形態では、第１表示機能と第３表示機能が同時に機能することで、分離結果と測定結果とが同時に同一画面に並べて表示される例を示したが、これに限定されない。たとえば、表示部が複数ある場合は、それぞれの表示部に同時に分離結果または測定結果のどちらか一つを表示してもよい。その場合、同じ区分に対応する測定結果をそれぞれ別画面に表示してもよい。
【符号の説明】
【００６９】
１  表示部
１ａ  第１表示機能
１ｂ  第２表示機能
１ｃ  第３表示機能
４  関連付け部
６  分離結果
７  測定結果
８  区分
９  測定方法履歴
２６  容器
２７  識別情報
３０  測定部
１００  分析データ表示装置
Ｐ  試料
【図１】
2020101372.tif 000003
【図２】
2020101372.tif 000004
【図３】
2020101372.tif 000005
【図４】
2020101372.tif 000006
【図５】
2020101372.tif 000007
【図６】
2020101372.tif 000008
【図７】
2020101372.tif 000009